(57)【特許請求の範囲】
【請求項１】
送信端装置が、現在通信フレームの制御領域において、制御メッセージを送信し、かつ、現在通信フレームの制御領域において、他の送信端装置の制御メッセージをモニタリングするステップを備え、
前記制御メッセージには、少なくともリソース指示情報が含まれ、前記リソース指示情報は、送信端装置に占有される現在通信フレームのデータ領域におけるデータチャネルを示し、
送信端装置が、現在通信フレームの制御領域において、制御メッセージを送信し、かつ、現在通信フレームの制御領域において、他の送信端装置の制御メッセージをモニタリングする場合、
前記送信端装置は、制御領域を、時間領域において、複数の伝送オケイジョンに分割し、現在通信フレームの制御領域において、どちらの伝送オケイジョンが非サイレント状態となるかを確定し、前記確定された非サイレント状態である伝送オケイジョンの周期は、非サイレント期間であり、
現在通信フレームの制御領域の非サイレント期間において制御メッセージを送信し、現在通信フレームの制御領域のサイレント期間において、他の送信端装置の制御メッセージをモニタリングすることを特徴とするＤ２Ｄ通信方法。
【請求項２】
現在通信フレームの制御領域において制御メッセージを送信する前、
前記送信端装置が現在通信フレームのデータ領域におけるアイドルデータチャネル集合を検出し、検出したアイドルデータチャネル集合からデータチャネルを選択するステップをさらに備え、
送信端装置が送信した制御メッセージには、少なくとも選択したデータチャネルを占有するリソース指示情報が含まれることを特徴とする請求項１に記載のＤ２Ｄ通信方法。
【請求項３】
前記送信端装置が現在通信フレームのデータ領域におけるアイドルデータチャネル集合を検出するステップは、
前記送信端装置が、エネルギー検出により、現在通信フレームのデータ領域におけるアイドルデータチャネル集合を確定するステップ、
及び/または、
前記送信端装置が、他の送信端装置からのリソース指示情報に基づいて、現在通信フレームのデータ領域におけるアイドルデータチャネル集合を確定するステップを備えることを特徴とする請求項２に記載のＤ２Ｄ通信方法。
【請求項４】
前記送信端装置がモニタリングしたリソース指示情報に基づいて自身に占有された前記データチャネルにおいてＤ２Ｄデータを送信するステップをさらに備えることを特徴とする請求項１に記載のＤ２Ｄ通信方法。
【請求項５】
前記送信端装置が、モニタリングしたリソース指示情報に基づいて、自身が占有するデータチャネルにおいて、Ｄ２Ｄデータを送信するステップは、
前記送信端装置が、モニタリングしたリソース指示情報に基づき、自身が占有するデータチャネルにおいてリソース衝突が存在しないことを確定し、前記データチャネルにおいてＤ２Ｄデータを送信するステップを備え、
前記送信端装置がモニタリングしたリソース指示情報に基づいて自身が占有するデータチャネルにリソース衝突が存在すると確定すれば、前記方法は、
前記送信端装置が検出されたアイドルデータチャネル集合からデータチャネルを選択し、次の通信フレームにおける制御領域において制御メッセージを送信するステップであって、前記制御メッセージに含まれるリソース指示情報は今回選択したデータチャネルを占有することに用いられる前記送信ステップと、
または、
前記送信端装置が退却された通信フレーム数Nをランダムに確定し、現在通信フレーム後の第Ｎ+１個の通信フレームの制御領域において制御メッセージを送信するステップを
備えることを特徴とする請求項４に記載のＤ２Ｄ通信方法。
【請求項６】
送信端装置が、現在通信フレームの制御領域において、制御メッセージを送信するステップは、
前記送信端装置が現在通信フレームの制御領域において、自身が占有するデータチャネルと対応する制御チャネルにおいて前記制御メッセージを送信するステップ、
または、
前記送信端装置が現在通信フレームの制御領域において、ランダムに選択した制御チャネルにおいて前記制御メッセージを送信するステップを備えることを特徴とする請求項１に記載のＤ２Ｄ通信方法。
【請求項７】
前記制御メッセージには送信端装置の優先権がさらに含まれ、
前記送信端装置が、モニタリングしたリソース指示情報に基づいて、自身が占有するデータチャネルにおいて、Ｄ２Ｄデータを送信するステップは、
前記送信端装置がモニタリングしたリソース指示情報に基づいて自身が占有するデータチャネルにリソース衝突が存在すると確定すれば、モニタリングした優先権を自身の優先権と比較し、自身の優先権がモニタリングした優先権より高い場合、前記データチャネルにおいてＤ２Ｄデータを送信するステップを備えることを特徴とする請求項４に記載のＤ２Ｄ通信方法。
【請求項８】
現在通信フレームの制御領域において制御メッセージを送信し、現在通信フレームの制御領域において他の送信端装置の少なくともリソース指示情報が含まれる制御メッセージをモニタリングするリソース競争モジュールであって、前記制御メッセージには、少なくともリソース指示情報が含まれ、前記リソース指示情報は、送信端装置に占有される現在通信フレームのデータ領域におけるデータチャネルを示す前記リソース競争モジュールと、
モニタリングしたリソース指示情報に基づいて自身に占有された前記データチャネルにおいてＤ２Ｄデータを送信するＤ２Ｄ通信モジュールとを備え、
前記リソース競争モジュールが現在通信フレームの制御領域において制御メッセージを送信し、現在通信フレームの制御領域において他の送信端装置の少なくともリソース指示情報が含まれる制御メッセージをモニタリングする場合、
前記リソース競争モジュールは、制御領域を、時間領域において、複数の伝送オケイジョンに分割し、現在通信フレームの制御領域において、どちらの伝送オケイジョンが非サイレント状態となるかを確定し、前記確定された非サイレント状態である伝送オケイジョンの周期は、非サイレント期間であり、
現在通信フレームの制御領域の非サイレント期間において制御メッセージを送信し、現在通信フレームの制御領域のサイレント期間において、他の送信端装置の制御メッセージをモニタリングすることを特徴とする送信端装置。
【請求項９】
現在通信フレームの制御領域において制御メッセージを送信する前、前記リソース競争モジュールは、
現在通信フレームのデータ領域におけるアイドルデータチャネル集合を検出し、検出したアイドルデータチャネル集合からデータチャネルを選択し、
前記リソース競争モジュールからの制御メッセージには、すくなくとも、選択したデータチャネルを占有するリソース指示情報が含まれることを特徴とする請求項８に記載の送信端装置。
【請求項１０】
現在通信フレームのデータ領域におけるアイドルデータチャネル集合を検出する場合、前記リソース競争モジュールは、
エネルギー検出方式により現在通信フレームのデータ領域におけるアイドルデータチャネル集合を確定し、
及び/または、
他の送信端装置からのリソース指示情報に基づいて現在通信フレームのデータ領域におけるアイドルデータチャネル集合を確定することを特徴とする請求項９に記載の送信端装置。
【請求項１１】
前記Ｄ２Ｄ通信モジュールは、
モニタリングしたリソース指示情報に基づいて自身が占有するデータチャネルにリソース衝突が存在しないと確定し、前記データチャネルにおいてＤ２Ｄデータを送信し、
モニタリングしたリソース指示情報に基づいて自身が占有するデータチャネルにリソース衝突が存在すると確定すれば、前記Ｄ２Ｄ通信モジュールは、
検出されたアイドルデータチャネル集合からデータチャネルを選択し、次の通信フレームにおける制御領域において制御メッセージを送信し、前記制御情報に含まれるリソース指示情報は、今回選択したデータチャネルを占有することに用いられ、
または、
退却された通信フレーム数Nをランダムに確定し、現在通信フレーム後の第N+１個の通信フレームの制御領域において制御メッセージを送信することを特徴とする請求項９に記載の送信端装置。
【請求項１２】
現在通信フレームの制御領域において制御メッセージを送信する場合、前記リソース競争モジュールは、
現在通信フレームの制御領域において、自身が占有するデータチャネルと対応する制御チャネルにおいて前記制御メッセージを送信するか、または、
現在通信フレームの制御領域において、ランダムに選択した制御チャネルにおいて前記制御メッセージを送信することを特徴とする請求項８に記載の送信端装置。
【請求項１３】
前記制御メッセージには送信端装置の優先権がさらに含まれ、前記Ｄ２Ｄ通信モジュールは、
前記送信端装置がモニタリングしたリソース指示情報に基づいて自身が占有するデータチャネルにリソース衝突が存在すると確定すれば、モニタリングした優先権を自身の優先権と比較し、自身の優先権がモニタリングした優先権より高い場合、前記データチャネルにおいてＤ２Ｄデータを送信することを特徴とする請求項８ないし請求項１２のいずれか１項に記載の送信端装置。
【発明の詳細な説明】
【技術分野】
【０００１】
本発明は、無線通信分野に関し、特にＤ２Ｄ通信方法及び装置に関する。
【背景技術】
【０００２】
Ｄ２Ｄ（Ｄｅｖｉｃｅ−ｔｏ−Ｄｅｖｉｃｅ）、即ち端末同士間直接通信技術とは、隣接のＵＥ（Ｕｓｅｒ Ｅｑｕｉｐｍｅｎｔ）たちが短距離範囲内でダイレクト・リンクよりデータ伝送を行う方式を指す。当該技術は、中央ノード（即ち、基地局）による転送をしない。
【０００３】
Ｄ２Ｄ的の研究において、下記の４つのシーンを考慮し、シーンたちは組み合わせることもできる。
【０００４】
カバレッジ範囲以外（Ｏｕｔ ｏｆ Ｃｏｖｅｒａｇｅ）のシーン：図１Ａに示すように、ＵＥ１及びＵＥ２のいずれもカバレッジ範囲以外に位置する。
【０００５】
一部のカバレッジ（Ｐａｒｔｉａｌ Ｃｏｖｅｒａｇｅ）のシーン：図１Ｂに示すように、ＵＥ１がセル的カバレッジ範囲内（Ｉｎ Ｃｏｖｅｒａｇｅ）に位置する一方、ＵＥ２がセルのカバレッジ範囲以外に位置する。
【０００６】
シングルセルカバレッジ（Ｉｎ Ｃｏｖｅｒａｇｅ−Ｓｉｎｇｌｅ−Ｃｅｌｌ）のシーン：図１Ｃに示すように、ＵＥ１及びＵＥ２が同一セルのカバレッジ範囲内に位置する。
【０００７】
マルチセルカバレッジ（Ｉｎ Ｃｏｖｅｒａｇｅ−Ｍｕｌｔｉ−Ｃｅｌｌ）のシーン：図１Ｄに示すように、ＵＥ１及びＵＥ２は異なるセル的カバレッジ範囲内に位置する。
【０００８】
ここで、ＵＥ１が送信側として情報送信する際に、ＵＥ２はＵＥ１からの情報を受信する。同様に、ＵＥ２も送信側として情報を送信し、ＵＥ１は、ＵＥ２からの情報を受信する。
【０００９】
Ｄ２Ｄ通信において、Ｄ２Ｄ ＵＥ間の１対１通信の以外、典型的な応用シーンはグループ/ブロードキャスト通信をさらに含む。このような場合は主にパブリックセーフティの消防、救援及び対テロ作戦等に応用される。
【００１０】
ＬＴＥ（Ｌｏｎｇ  Ｔｅｒｍ  Ｅｖｏｌｕｔｉｏｎ） Ｄ２Ｄ技術とは、ＬＴＥの許可された周波数帯において動作するＬＴＥネットワークにより制御されるＤ２Ｄ発見及び通信を指す。当該技術は、Ｄ２Ｄ技術のメリットを発揮する一方、ＬＴＥネットワークの制御は、干渉制御できないとの従来のＤ２Ｄ技術の問題点を解消することができる。ＬＴＥ Ｄ２Ｄ特性の導入は、ＬＴＥ技術を単純な無線モービルセルラー通信技術より「普通の接続技術」（Ｕｎｉｖｅｒｓａｌ Ｃｏｎｎｅｃｔｉｖｉｔｙ Ｔｅｃｈｎｏｌｏｇy）へ導く。
【００１１】
ＬＴＥ Ｄ２Ｄ伝送において、競争に基づくリソース割合方法とは、各々Ｄ２Ｄ ＵＥが同様な原則によって、Ｄ２Ｄ伝送のためのリソースを競争する。当該方法は、主に中央ノードのスケジューリングがないシーンに応用され、例えば、上述のＯｕｔ ｏｆ Ｃｏｖｅｒａｇｅのシーンに応用され、各々Ｄ２Ｄ ＵＥが伝送リソースを完全にランダムに競争し、総合的なスケジューリングがないため、リソース衝突を引き起こす。
【発明の概要】
【発明が解決しようとする課題】
【００１２】
本発明の目的は、Ｄ２Ｄ通信方法及び装置を提供して、Ｄ２Ｄ ＵＥがリソースを競争する際に引き起こすリソース衝突との問題点を解決することである。
【課題を解決するための手段】
【００１３】
本発明の目的は下記の技術手段より達成するＤ２Ｄ通信方法であって、送信端装置が、現在通信フレームの制御領域において、制御メッセージを送信し、かつ、現在通信フレームの制御領域において、他の送信端装置の制御メッセージをモニタリングするステップを備え、制御メッセージには、少なくともリソース指示情報が含まれ、リソース指示情報は、送信端装置に占有される現在通信フレームのデータ領域におけるデータチャネルを示す。
【００１４】
本発明にかかる実施例の技術手段によれば、Ｄ２Ｄ通信の通信フレームは、制御領域及びデータ領域を含み、ここで、データ領域は、複数のデータチャネルをさらに含む。異なる送信端装置が制御領域の制御メッセージを相互にモニタリングすることにより、競争によるリソース衝突を避けることができる。
【００１５】
好ましくは、現在通信フレームの制御領域において制御メッセージを送信する前、送信端装置は、現在通信フレームのデータ領域におけるアイドルデータチャネル集合を検出し、検出したアイドルデータチャネル集合からデータチャネルを選択する。ここで、送信端装置により送信した制御メッセージに含まれるリソース指示情報は、選択したデータチャネルを占有することに用いられる。
【００１６】
さらに、送信端装置が現在通信フレームのデータ領域におけるアイドルデータチャネル集合を検出する態様としては、送信端装置が、エネルギー検出により、現在通信フレームのデータ領域におけるアイドルデータチャネル集合を確定し、及び/または、送信端装置は、他の送信端装置からのリソース指示情報に基づいて、現在通信フレームのデータ領域におけるアイドルデータチャネル集合を確定する。
【００１７】
好ましくは、当該方法は、送信端装置が、モニタリングしたリソース指示情報に基づいて、自身が占有するデータチャネルにおいて、Ｄ２Ｄデータを送信するステップをさらに備える。
【００１８】
上述のいずれの方法の実施例をベースとし、好ましくは、送信端装置が、モニタリングしたリソース指示情報に基づいて、自身が占有するデータチャネルにおいて、Ｄ２Ｄデータを送信する具体的な実施態様としては、送信端装置が、モニタリングしたリソース指示情報に基づき、自身が占有するデータチャネルにおいてリソース衝突が存在しないことを確定し、自身が占有するデータチャネルにおいてＤ２Ｄデータを送信する。
【００１９】
送信端装置がモニタリングしたリソース指示情報に基づいて自身が占有するデータチャネルにリソース衝突が存在すると確定する場合、送信端装置が検出されたアイドルデータチャネル集合からデータチャネルを選択し、次の通信フレームにおける制御領域において、少なくともリソース指示情報が含まれる制御メッセージを送信して、今回選択したデータチャネルを占有するか、または、送信端装置は、退却された通信フレーム数Nをランダムに確定し、現在通信フレーム後の第Ｎ+１個の通信フレームの制御領域において制御メッセージを送信する。
【００２０】
上述のいずれの方法の実施例をベースとし、好ましくは、送信端装置が現在通信フレームの制御領域において制御メッセージを送信する具体的な態様としては、送信端装置が現在通信フレームの制御領域において、自身が占有するデータチャネルと対応する制御チャネルにおいて制御メッセージを送信するか、または、送信端装置が現在通信フレームの制御領域において、ランダムに選択した制御チャネルにおいて制御メッセージを送信する。
【００２１】
上述のいずれの方法の実施例をベースとし、好ましくは、送信端装置が、現在通信フレームの制御領域において、制御メッセージを送信し、かつ、現在通信フレームの制御領域において、他の送信端装置の制御メッセージをモニタリングする具体的な実施態様としては、送信端装置が自身の現在通信フレームの制御領域におけるサイレント期間を確定し、現在通信フレームの制御領域における非サイレント期間で制御メッセージを送信し、現在通信フレームの制御領域におけるサイレント期間で他の送信端装置の制御情報をモニタリングする。
【００２２】
上述のいずれの方法の実施例をベースとし、好ましくは、送信端装置が現在通信フレームの制御領域において制御メッセージを送信する具体的な態様としては、送信端装置が、自身の優先レベルに基づいて現在通信フレームの制御領域における競争領領域を確定し、競争領域において前記制御メッセージを送信する。送信端装置の優先レベルが高ければ高いほど、その競争領域が高い。
【００２３】
上述のいずれの方法の実施例をベースとし、好ましくは、制御メッセージには送信端装置の優先権がさらに含まれる。送信端装置が、モニタリングしたリソース指示情報に基づいて、自身が占有するデータチャネルにおいて、Ｄ２Ｄデータを送信するの実施態様としては、送信端装置がモニタリングしたリソース指示情報に基づいて自身が占有するデータチャネルにリソース衝突が存在すると確定する場合、モニタリングした優先権を自身の優先権と比較し、自身の優先権がモニタリングした優先権より高い場合、自身が占有するデータチャネルにおいてＤ２Ｄデータを送信する。
【００２４】
上述のいずれの方法の実施例をベースとし、好ましくは、Ｄ２Ｄサービスの終了または前記送信端装置がリソース解放指示情報を送信するまでに、送信端装置が自身が占有するデータチャネルにおいてＤ２Ｄデータを送信する。
【００２５】
これをベースとして、Ｄ２Ｄサービスの終了前までに、送信端装置は、Ｄ２Ｄサービスサイレント期間において、送信端装置は、Ｄ２Ｄサービスのサイレント期間において、自身が占有するデータチャネルにおいてプレースホルダ指示情報を送信する。
【００２６】
上述のいずれの方法の実施例をベースとし、好ましくは、通信フレーム是送信端装置スパーフレーム同期を取得した後，Ｄ２Ｄ通信の時間領域リソースプールから確定されたものである。
【００２７】
好ましくは、通信フレームの確定は、あらかじめ定義された方式により、Ｄ２Ｄ通信の時間領域リソースプールから通信フレームを確定するか、または、検出された同期化情報から時間領域リソースプールの設定情報を取得し、時間領域リソースプールの設定情報に基づいて通信フレームを確定する。
【００２８】
Ｄ２Ｄ通信方法であって、
受信端装置が、現在通信フレームの制御領域において、送信端装置の制御メッセージをモニタリングし、
受信端装置が、モニタリングしたリソース指示情報に基づいて、現在通信フレームのデータ領域においてＤ２Ｄデータを受信し、
前記制御メッセージには、少なくともリソース指示情報が含まれ、リソース指示情報は、送信端装置に占有される現在通信フレームのデータ領域のデータチャネルを示す。
【００２９】
本発明にかかる実施例の技術手段によれば、Ｄ２Ｄ通信の通信フレームは、制御領域及びデータ領域を含み、ここで、データ領域は、複数のデータチャネルをさらに含む。このように、異なる送信端装置が制御領域の制御メッセージを相互にモニタリングすることにより、競争によるリソース衝突を避けることができる。
【００３０】
好ましくは、通信フレームは、受信端装置がスパーフレーム同期を取得した後、Ｄ２Ｄ通信の時間領域リソースプールから確定されたものである。
【００３１】
好ましくは、通信フレームの確定は、
あらかじめ定義された方式により、Ｄ２Ｄ通信の時間領域リソースプールから通信フレームを確定するか、
または、検出された同期化情報から時間領域リソースプールの設定情報を取得し、前記時間領域リソースプールの設定情報に基づいて、通信フレームを確定する。
【００３２】
方法と同様の発明思想をベースとし、本発明にかかる実施例により提供する送信端装置は、
現在通信フレームの制御領域において制御メッセージを送信し、現在通信フレームの制御領域において他の送信端装置の少なくともリソース指示情報が含まれる制御メッセージをモニタリングするリソース競争モジュールであって、前記制御メッセージには、少なくともリソース指示情報が含まれ、前記リソース指示情報は、送信端装置に占有される現在通信フレームのデータ領域におけるデータチャネルを示す前記リソース競争モジュールと、
モニタリングしたリソース指示情報に基づいて自身に占有された前記データチャネルにおいてＤ２Ｄデータを送信するＤ２Ｄ通信モジュールとを備える。
【００３３】
本発明にかかる実施例の技術手段によれば、Ｄ２Ｄ通信の通信フレームは、制御領域及びデータ領域を含み、ここで、データ領域は、複数のデータチャネルをさらに含む。異なる送信端装置が制御領域の制御メッセージを相互にモニタリングすることにより、競争によるリソース衝突を避けることができる。
【００３４】
好ましくは、現在通信フレームの制御領域において制御メッセージを送信する前、前記リソース競争モジュールは、
現在通信フレームのデータ領域におけるアイドルデータチャネル集合を検出し、検出したアイドルデータチャネル集合からデータチャネルを選択し、前記リソース競争モジュールからの制御メッセージには、すくなくとも、選択したデータチャネルを占有するリソース指示情報が含まれる。
【００３５】
好ましくは、現在通信フレームのデータ領域におけるアイドルデータチャネル集合を検出する場合、前記リソース競争モジュールは、
エネルギー検出方式により現在通信フレームのデータ領域におけるアイドルデータチャネル集合を確定し、及び/または、
他の送信端装置からのリソース指示情報に基づいて現在通信フレームのデータ領域におけるアイドルデータチャネル集合を確定する。
【００３６】
好ましくは、前記Ｄ２Ｄ通信モジュールは、
モニタリングしたリソース指示情報に基づいて自身が占有するデータチャネルにリソース衝突が存在しないと確定し、前記データチャネルにおいてＤ２Ｄデータを送信する。
【００３７】
好ましくは、モニタリングしたリソース指示情報に基づいて自身が占有するデータチャネルにリソース衝突が存在すると確定すれば、前記Ｄ２Ｄ通信モジュールは、
検出されたアイドルデータチャネル集合からデータチャネルを選択し、次の通信フレームにおける制御領域において制御メッセージを送信し、前記制御情報に含まれるリソース指示情報は、今回選択したデータチャネルを占有することに用いられるか、
または、退却された通信フレーム数Nをランダムに確定し、現在通信フレーム後の第Ｎ+１個の通信フレームの制御領域において制御メッセージを送信する。
【００３８】
上述のいずれの送信端装置の実施例をベースとし、好ましくは、現在通信フレームの制御領域において制御メッセージを送信する場合、前記リソース競争モジュールは、
現在通信フレームの制御領域において、自身が占有するデータチャネルと対応する制御チャネルにおいて前記制御メッセージを送信するか、または、
現在通信フレームの制御領域において、ランダムに選択した制御チャネルにおいて前記制御メッセージを送信する。
【００３９】
上述のいずれの送信端装置の実施例をベースとし、好ましくは、前記リソース競争モジュールは、
自身の現在通信フレームの制御領域におけるサイレント期間を確定し、現在通信フレームの制御領域における非サイレント期間で制御メッセージを送信し、現在通信フレームの制御領域におけるサイレント期間で他の送信端装置の制御情報をモニタリングする。
【００４０】
上述のいずれの送信端装置の実施例をベースとし、好ましくは、現在通信フレームの制御領域において制御メッセージを送信する場合、前記リソース競争モジュールは、
自身の優先レベルに基づいて現在通信フレームの制御領域における競争領領域を確定し、前記競争領域において前記制御メッセージを送信し、送信端装置の優先レベルが高ければ高いほど、その競争領域が高い。
【００４１】
上述のいずれの送信端装置の実施例をベースとし、好ましくは、前記制御メッセージには、送信端装置の優先権情報がさらに含まれ、前記Ｄ２Ｄ通信モジュールは、
前記送信端装置がモニタリングしたリソース指示情報に基づいて自身が占有するデータチャネルにリソース衝突が存在すると確定すれば、モニタリングした優先権情報と自身の優先権情報を比較し、自身の優先権情報の優先レベルがモニタリングした優先権情報より高い場合、前記データチャネルにおいてＤ２Ｄデータを送信する。
【００４２】
上述のいずれの送信端装置の実施例をベースとし、好ましくは、Ｄ２Ｄサービスの終了または前記送信端装置がリソース解放指示情報を送信するまでに、前記Ｄ２Ｄ通信モジュールが自身が占有するデータチャネルにおいてＤ２Ｄデータを送信する。
【００４３】
好ましくは、Ｄ２Ｄサービスの終了前までに、前記Ｄ２Ｄ通信モジュールは、
前記Ｄ２Ｄサービスサイレント期間において、送信端装置は、Ｄ２Ｄサービスのサイレント期間において、自身が占有するデータチャネルにおいてプレースホルダ指示情報を送信する。
【００４４】
上述のいずれの送信端装置の実施例をベースとし、好ましくは、通信フレームは、前記送信端装置がスパーフレーム同期を取得した後、Ｄ２Ｄ通信の時間領域リソースプールから確定されたものである。
【００４５】
好ましくは、通信フレームの確定は、
あらかじめ定義された方式により、Ｄ２Ｄ通信の時間領域リソースプールから通信フレームを確定するか、または、
検出された同期化情報から時間領域リソースプールの設定情報を取得し、前記時間領域リソースプールの設定情報に基づいて、通信フレームを確定する。
【００４６】
方法と同様の発明思想をベースとし、本発明にかかる実施例はＤ２Ｄ ＵＥをさらに提供し、当該Ｄ２Ｄ ＵＥは、プロセッサ及び無線周波数ユニットを備える。
【００４７】
プロセッサは、無線周波数ユニットにより現在通信フレームの制御領域において制御メッセージを送信し、かつ、無線周波数ユニットにより現在通信フレームの制御領域において、他の送信端装置の少なくともリソース指示情報が含まれる制御メッセージをモニタリングし、モニタリングしたリソース指示情報に基づいて無線周波数ユニットにより自身に占有された前記データチャネルにおいてＤ２Ｄデータを送信する。前記制御メッセージには、少なくともリソース指示情報が含まれ、前記リソース指示情報は、送信端装置に占有される現在通信フレームのデータ領域におけるデータチャネルを示す。
【００４８】
本発明にかかる実施例の技術手段によれば、Ｄ２Ｄ通信の通信フレームは、制御領域及びデータ領域を含み、ここで、データ領域は、複数のデータチャネルをさらに含む。異なるＤ２Ｄ ＵＥが制御領域の制御メッセージを相互にモニタリングすることにより、競争によるリソース衝突を防ぐことができる。
【００４９】
方法と同様の発明思想をベースとし、本発明にかかる実施例により提供する受信端装置は、
現在通信フレームの制御領域において送信端装置の制御メッセージをモニタリングする制御メッセージモニタリングモジュールであって、前記制御メッセージには、少なくともリソース指示情報が含まれ、前記リソース指示情報は、送信端装置に占有される現在通信フレームのデータ領域におけるデータチャネルを示す前記制御メッセージモニタリングモジュールと、
モニタリングしたリソース指示情報に基づいて、現在通信フレームのデータ領域においてＤ２Ｄデータを受信するＤ２Ｄ通信モジュールとを備える。
【００５０】
本発明にかかる実施例の技術手段によれば、Ｄ２Ｄ通信の通信フレームは、制御領域及びデータ領域を含み、ここで、データ領域は、複数のデータチャネルをさらに含む。異なる送信端装置が制御領域の制御メッセージを相互にモニタリングすることにより、競争によるリソース衝突を避けることができる。
【００５１】
好ましくは、通信フレームは、受信端装置がスパーフレーム同期を取得した後、Ｄ２Ｄ通信の時間領域リソースプールから確定されたものである。
【００５２】
好ましくは、通信フレームの確定は、
あらかじめ定義された方式により、Ｄ２Ｄ通信の時間領域リソースプールから通信フレームを確定するか、または、
検出された同期化情報から時間領域リソースプールの設定情報を取得し、前記時間領域リソースプールの設定情報に基づいて、通信フレームを確定する。
【００５３】
方法と同様の発明思想をベースとし、本発明にかかる実施例は受信端装置をさらに提供し、当該受信端装置は、プロセッサ及び無線周波数ユニットを備える。
【００５４】
プロセッサは、無線周波数ユニットにより現在通信フレームの制御領域において送信端装置の制御メッセージをモニタリングし、モニタリングしたリソース指示情報に基づいて、無線周波数ユニットにより現在通信フレームのデータ領域においてＤ２Ｄデータを受信する。前記制御メッセージには、少なくともリソース指示情報が含まれ、前記リソース指示情報は、送信端装置に占有される現在通信フレームのデータ領域におけるデータチャネルを示す。
【００５５】
本発明にかかる実施例の技術手段によれば、Ｄ２Ｄ通信の通信フレームは、制御領域及びデータ領域を含み、ここで、データ領域は、複数のデータチャネルをさらに含む。異なる送信端装置が制御領域の制御メッセージを相互にモニタリングすることにより、競争によるリソース衝突を避けることができる。
【図面の簡単な説明】
【００５６】
【図１Ａ】Ｄ２Ｄ通信シーンを示す図である。
【図１Ｂ】Ｄ２Ｄ通信シーンを示す図である。
【図１Ｃ】Ｄ２Ｄ通信シーンを示す図である。
【図１Ｄ】Ｄ２Ｄ通信シーンを示す図である。
【図２】本発明にかかる実施例により提供する第１通信フレームの構造図である。
【図３】本発明にかかる実施例により提供する第２通信フレームの構造図である。
【図４】本発明にかかる実施例により提供するチャネル周波数分割多元接続方式を示す図である。
【図５】本発明にかかる実施例により提供するチャネル時分割多重化方式を示す図である。
【図６】本発明にかかる実施例により提供する制御チャネルとデータチャネルの対応関係を示す図である。
【図７】本発明にかかる実施例により提供する制御チャネルとデータチャネルの対応関係が存在しないことを示す図である。
【図８】本発明にかかる実施例により提供するジョイント伝送を示す図である。
【図９】本発明にかかる実施例により提供するＤ２Ｄ通信フローチャートである。
【図１０】本発明にかかる実施例により提供するサイレント期間を示す図である。
【図１１】本発明にかかる実施例により提供する競争領域を示す図である。
【図１２】本発明にかかる実施例により提供する別のＤ２Ｄ通信フローチャートである。
【図１３】本発明にかかる実施例により提供するプレースホルダ識別子情報を示す図である。
【図１４】本発明にかかる実施例により提供する送信端装置を示す図である。
【図１５】本発明にかかる実施例により提供する受信端装置を示す図である。
【発明を実施するための形態】
【００５７】
以下、図面を参照しながら、本発明にかかる実施例の技術手段を詳細に説明する。
【００５８】
本発明にかかる実施例において、Ｄ２Ｄ通信の通信フレームは、制御領域及びデータ領域を含む。
【００５９】
制御領域は複数の制御チャネルに分けることができ、データ領域は複数のデータチャネルに分けることができる。これに応じて、異なる送信端装置（即ち、Ｔｘ ＵＥ）がそれぞれの制御チャネルにおいて、制御メッセージを伝送する。
【００６０】
図２に示す通信フレームの例を挙げれば、１個の通信フレームが時間領域において制御領域とデータ領域に分けられ、データ領域が時間領域においてさらに複数のデータフレームに分けられる。スパーフレーム同期を達成するため、Ｄ２Ｄ通信のスパーフレーム構造は図３に示すように、１個のスパーフレームが時間領域において、同期化領域及び通信領域に分けられる。ここで、同期化領域は同期化フレームを含み、通信領域はＭ個の通信フレームを含む。
【００６１】
本発明にかかる実施例において、制御メッセージには少なくともリソース指示情報が含まれ、リソース指示情報は、送信端装置（Ｔｘ ＵＥ）により占有された現在通信フレームのデータ領域におけるデータチャネルを示し、具体的には、データチャネルの時間領域リソース位置を示す。好ましくは、制御情報には通信装置の優先レベルと、変調・コード化指示情報が含まれ、制御領域の送信状態及びデータ領域の送信状態を確定し、ＤＭＲＳ シーケンス的初期化された識別子情報及び/またはスクランブリングシーケンス的初期化された識別子情報の識別子情報などとする。
ここで、制御領域が時間領域において少なくとも１ミリ秒を占有する。
ここで、１個のデータフレームが時間領域において少なくとも１ミリ秒を占有する。
【００６２】
本発明にかかる実施例におて、好ましいカバレッジ効果及びＶｏＩＰ等サービスの特性を考慮して、制御チャネルは、周波数分割多元接続（ＦＤＭＡ）の多重化方式を少なくともサポートする必要がある。図４に示すように、Ｄ２Ｄシステムの帯域幅において、複数の等しい帯域幅の制御チャネルに分けることができる。好ましくは、ＦＤＭＡをベースとし、図５に示すように、時分割多重化（ＴＤＭＡ）的多重化方式のサブチャネルをさらに定義することができる。
【００６３】
データチャネルは、ＦＤＭＡの多重化方式を少なくともサポートする必要がある。図４に示すように、Ｄ２Ｄシステムの帯域幅において、複数の等しい帯域幅のデータチャネルに分けることができる。好ましくは、FDMA多重化方式をベースとし、図５に示すように、ＴＤＭＡの多重化方式のサブチャネルをさらに定義することができる。
本発明にかかる実施例において、制御チャネル及びデータチャネルは、関連関係を有してもよく、相互に独立してもよい。
【００６４】
即ち、制御チャネル及びデータチャネルは、一定の一対一の対応関係を有することができる。好ましくは、１個の制御チャネル及び対応のデータチャネルは、同様な周波数リソースを占有する。図６に示すように、時間領域チャネルの区画をさらに定義すれば、これに応じて、時間領域においても一定の対応関係を有する。図７に示すように、制御チャネルとデータチャネルは一定の一対一の対応関係がない。
【００６５】
ここで、制御チャネルとデータチャネルの間に一定の一対一の対応関係があれば、送信端装置からのリソース指示情報は、データチャネルの時間領域リソース位置であってもよく、データチャネルの占有を指示する指示情報であってもよい。例えば、送信端装置が図６に示すデータ領域のチャネル１のみを占有する必要があれば、制御領域のチャネル１において制御メッセージを送信することができ、当該制御メッセージ送信の時間領域リソース位置は、データチャネルを占有するリソース指示情報を暗黙に示す。これに応じて、当該制御メッセージを受信した装置は、制御チャネルとデータチャネルの対応関係により、当該送信端装置により占有したデータ領域のチャネル１を取得することができる。
【００６６】
さらに、多様なサービスを柔軟にサポートするため、例えば、ＦＴＰサービスに必要とする帯域幅大きいため、複数のデータチャネルでジョイント伝送し、ＶｏＩＰサービスは、１個のデータチャネルのみにより伝送すればよい。データチャネルは複数のデータチャネルのジョイント伝送をサポートすべきであり、また、Ｄ２Ｄ伝送の単一キャリア特性を考慮すると、そのジョイントされたデータチャネルは、周波数領域における隣接データチャネルである必要がある。これに応じて、制御チャネルにより伝送するリソース指示情報について、リソース指示情報は、ＬＴＥダウンリンクリソース割合タイプ２に定義されたお方式と類似する方式を利用する必要がある。リソース指示の粒度は、データチャネルを単位とする。例えばｍＤ２Ｄシステムの帯域幅を１０MHz（５０ＰＲＢ）とし、１個のデータチャネルの帯域幅を２個のＰＲＢとすれば、対応の周波数領域において２５個のデータチャネルに分けられ、リソース割合タイプ２の指示方式を利用すれば、９ビットの情報指示リソースが必要となる。具体的に３ＧＰＰ ＴＳ ３６.２１３を参照されたい。さらに、図8に示すように、時間領域上のサブチャネルが分けられると、時間領域のジョイント操作がさらに含まれる。
【００６７】
上述のＤ２Ｄシステムの通信フレーム定義をベースとし、本発明にかかる実施例により提供される送信端装置側のＤ２Ｄ通信方法は図９に示すように、以下のステップを備える。
【００６８】
ステップ９００において、送信端装置は、現在通信フレームの制御領域において、制御メッセージを送信し、かつ、現在通信フレームの制御領域において、他の送信端装置の制御メッセージをモニタリングする。
具体的に、異なる送信端装置は、異なる制御チャネルにおいて制御メッセージを送信する。
【００６９】
ステップ９１０において、送信端装置は、モニタリングしたリソース指示情報に基づいて、自身が占有するデータチャネルにおいて、Ｄ２Ｄデータを送信する。
送信端装置はデータの送信を待機するＤ２Ｄ ＵＥ（Ｔｘ ＵＥ）である。
【００７０】
本発明にかかる実施例の技術手段によれば、Ｄ２Ｄ通信の通信フレームは、制御領域及びデータ領域を含み、ここで、データ領域は、複数のデータチャネルをさらに含む。異なる送信端装置が制御領域の制御メッセージを相互にモニタリングすることにより、競争によるリソース衝突を避けることができる。ｍた、本発明にかかる実施例の技術手段によれば、送信端装置の電力損失及び処理の煩雑さを効果的に低減することができる。
【００７１】
好ましくは、現在通信フレームの制御領域において制御メッセージを送信する前、送信端装置は、現在通信フレームのデータ領域におけるアイドルデータチャネル集合を検出し、検出したアイドルデータチャネル集合からデータチャネルを選択する。ここで、送信端装置により送信した制御メッセージに含まれるリソース指示情報は、選択したデータチャネルを占有することに用いられる。
【００７２】
さらに、送信端装置が現在通信フレームのデータ領域におけるアイドルデータチャネル集合を検出する態様としては、送信端装置は、エネルギー検出により、現在通信フレームのデータ領域におけるアイドルデータチャネル集合を確定し、及び/または、送信端装置は、他の送信端装置からのリソース指示情報に基づいて、現在通信フレームのデータ領域におけるアイドルデータチャネル集合を確定する。
【００７３】
ここで、他の送信端装置からのリソース指示情報に基づいて現在通信フレームのデータ領域におけるアイドルデータチャネル集合を確定することとは、他の送信端装置からのリソース指示情報に基づいて、現在通信フレームのデータ領域における他の送信端装置に占有されたデータチャネルを確定し、他の送信端装置に占有されたデータチャネル以外のデータチャネルによりアイドルデータチャネル集合を構成することをさらに確定する。
【００７４】
上述のいずれの方法の実施例をベースとし、好ましくは、ステップ９１０的具体的な実施態様としては、送信端装置が、モニタリングしたリソース指示情報に基づき、自身が占有するデータチャネルにおいてリソース衝突が存在しないことを確定し、自身が占有するデータチャネルにおいてＤ２Ｄデータを送信する。
【００７５】
送信端装置がモニタリングしたリソース指示情報に基づいて自身が占有するデータチャネルにリソース衝突が存在すると確定する場合、多様な実施態様により衝突を解決することができるが、以下いくつかの例を挙げる。
【００７６】
衝突解決手段１
送信端装置が検出されたアイドルデータチャネル集合からデータチャネルを選択し、次の通信フレームにおける制御領域において、少なくともリソース指示情報が含まれる制御メッセージを送信して、今回選択したデータチャネルを占有する。
【００７７】
ここで、検出されたアイドルデータチャネル集合からデータチャネルを選択するには、ランダムに選択してもよく、あらかじめ定義された方式により選択してもよい。
次の通信フレームにおいて異なるアイドルデータチャネルを選択することにより衝突を防ぐ。
【００７８】
衝突解決手段２
送信端装置は、退却された通信フレーム数Nをランダムに確定し、現在通信フレーム後の第N+１個の通信フレームの制御領域において制御メッセージを送信する。
【００７９】
送信端装置が通信フレームにおける制御領域の制御メッセージをモニタリングする必要があるため、アイドルデータチャネル集合の情報をアップデートする。異なる通信フレームの退去により、アイドルデータチャネル集合の情報もアップデートされ、こうして、リソースの衝突を防ぐ。
【００８０】
上述の衝突解決手段１には、次の通信フレームから選択したデータチャネルに依然としてリソース衝突が存在すれば、衝突解決手段２より衝突を解決することができる。アイドルデータチャネル集合におけるチャネルリソースが少なければすくないほど、ランダムに退去された通信フレーム数が多い。
【００８１】
衝突解決手段３
データ領域においてＣＳＭＡ方式でデータを直接に送信する。
【００８２】
衝突解決手段４
制御メッセージには送信端装置の優先権がさらに含まれ、モニタリングした優先権を自身の優先権と比較し、自身の優先権がモニタリングした優先権より高い場合、自身が占有するデータチャネルにおいてＤ２Ｄデータを送信する。
【００８３】
上述のいずれの方法の実施例をベースとし、制御チャネルとデータチャネルが関連関係であれば、送信端装置が現在通信フレームの制御領域において制御メッセージを送信する具体的な態様としては、送信端装置が現在通信フレームの制御領域において、自身が占有するデータチャネルと対応する制御チャネルにおいて制御メッセージを送信する。制御チャネルとデータチャネルが関連関係ではなければ、送信端装置が現在通信フレームの制御領域において、ランダムに選択した制御チャネルにおいて制御メッセージを送信する。
【００８４】
上述のいずれの方法の実施例をベースとし、好ましくは、送信端装置が、現在通信フレームの制御領域において、制御メッセージを送信し、かつ、現在通信フレームの制御領域において、他の送信端装置の制御メッセージをモニタリングする具体的な実施態様としては、送信端装置が自身の現在通信フレームの制御領域におけるサイレント期間を確定し、現在通信フレームの制御領域における非サイレント期間で制御メッセージを送信し、現在通信フレームの制御領域におけるサイレント期間で他の送信端装置の制御情報をモニタリングする。
【００８５】
ここで、サイレント期間の確定態様は多様である。例えば、制御領域を、時間領域において複数の伝送オケイジョンに分け、１個の伝送オケイジョンは、１ミリ秒であってもよく、１個のタイムスロットであってもよい。送信端装置は、現在通信フレームの制御領域において、どちらの伝送オケイジョンにおいてサイレント状態となるのかをランダムに確定することができる。送信端装置は、あらかじめ定義された手段により現在通信フレームの制御領域において、どちらの伝送オケイジョンにおいてサイレント状態となるのかを確定することもできる。例えば、各々伝送オケイジョンについて、識別子情報に基づいて乱数を生成し、当該乱数により対応の伝送オケイジョンにおいてサイレント状態となるか否かを判断する。図１０に示すように、Ｔｘ ＵＥ１が制御領域の第１、３、４及び後ろからの第２個の伝送オケイジョンにおいて制御メッセージを送信し、他の伝送オケイジョンにおいて、制御メッセージをモニタリングする。Ｔｘ ＵＥ２が制御領域の第１、２、４、後ろからの第３及び後ろからの第１個の伝送オケイジョンにおいて制御メッセージを送信し、他の伝送オケイジョンにおいて制御メッセージをモニタリングする。
【００８６】
上述のいずれの方法の実施例をベースとし、好ましくは、送信端装置が現在通信フレームの制御領域において制御メッセージを送信する具体的な態様としては、送信端装置が、自身の優先レベルに基づいて現在通信フレームの制御領域における競争領領域を確定し、競争領域において制御メッセージを送信する。図１１に示すように、送信端装置の優先レベルが高ければ高いほど、その競争領域が高い。指摘したいのは、競争領域は、図１に示すように、時間領域において連続してもよく、時間領域において不連続してもよい。
【００８７】
ここで、優先レベルが同様な送信端装置の競争領域が同一であり、制御領域全体において、上述の各実施例の方法で送信し、且つ制御メッセージを相互にモニタリングする。優先レベルが異なる送信端装置の場合、低優先レベルの送信端装置が非競争領域の制御領域においてサイレントし、高優先レベルの送信端装置からの制御メッセージをモニタリングする。
【００８８】
上述のいずれの方法の実施例をベースとし、好ましくは、Ｄ２Ｄサービスの終了または送信端装置がリソース解放指示情報を送信するまでに、送信端装置は自身が占有するデータチャネルにおいてＤ２Ｄデータを送信する。
【００８９】
これをベースとして、Ｄ２Ｄサービスの終了前までに、送信端装置は、Ｄ２Ｄサービスサイレント期間において、送信端装置は、Ｄ２Ｄサービスのサイレント期間において、自身が占有するデータチャネルにおいてプレースホルダ指示情報を送信する。
【００９０】
上述のいずれの方法の実施例をベースとし、好ましくは、通信フレームは、送信端装置がスパーフレーム同期を取得した後、Ｄ２Ｄ通信の時間領域リソースプールから確定されたものである。
【００９１】
好ましくは、通信フレームの確定は、あらかじめ定義された方式により、Ｄ２Ｄ通信の時間領域リソースプールから通信フレームを確定するか、または、検出された同期化情報から時間領域リソースプールの設定情報を取得し、時間領域リソースプールの設定情報に基づいて通信フレームを確定する。
【００９２】
上述のＤ２Ｄシステムの通信フレームの定義に基づき、本発明にかかる実施例が提供する受信端装置側のＤ２Ｄ通信方法は、図１２に示すように、以下のステップを備える。
【００９３】
ステップ１２００において、受信端装置は、現在通信フレームの制御領域において、送信端装置の制御メッセージをモニタリングする。制御メッセージには、少なくともリソース指示情報が含まれ、リソース指示情報は、送信端装置に占有される現在通信フレームのデータ領域のデータチャネルを示す。
【００９４】
ステップ１２１０において、受信端装置は、モニタリングしたリソース指示情報に基づいて、現在通信フレームのデータ領域においてＤ２Ｄデータを受信する。
【００９５】
本発明にかかる実施例において、受信端装置がＤ２Ｄデータを受信するＵＥ（Ｒｘ ＵＥ）である。
【００９６】
本発明にかかる実施例の技術手段によれば、Ｄ２Ｄ通信の通信フレームは、制御領域及びデータ領域を含み、ここで、データ領域は、複数のデータチャネルをさらに含む。以便異なる送信端装置が制御領域の制御メッセージを相互にモニタリングすることにより、競争によるリソース衝突を避けることができる。
【００９７】
本発明にかかる実施例の受信端装置の通信方法は、上述の実施例の送信端装置の通信方法実施例と重複する内容について、繰り返し説明はしない。
【００９８】
好ましくは、通信フレームは、受信端装置がスパーフレーム同期を取得した後、Ｄ２Ｄ通信の時間領域リソースプールから確定されたものである。
【００９９】
好ましくは、通信フレームの確定は、あらかじめ定義された方式により、Ｄ２Ｄ通信の時間領域リソースプールから通信フレームを確定するか、または、検出された同期化情報から時間領域リソースプールの設定情報を取得し、前記時間領域リソースプールの設定情報に基づいて、通信フレームを確定する。
【０１００】
以下Ｔｘ ＵＥとＲｘ ＵＥの協働実施の例を挙げながら、本発明にかかる実施例の方法を説明する。
【０１０１】
Ｄ２Ｄ ＵＥ（Ｔｘ ＵＥ及びＲｘ ＵＥ）がＤ２Ｄ通信を行う場合、まず首先スパーフレーム同期を取得する。同期化フレームによりスパーフレーム同期を実施することができるが、これに限られない。スパーフレーム同期を取得した後、Ｄ２Ｄ ＵＥは通信フレームを確定する。具体的には、時間領域リソースプールから通信フレームにより占有される時間領域リソース及びフレーム構造を確定する。例えば、あらかじめ定義された方式により時間領域リソースプールから通信フレームを確定するが、または、検出された同期化情報から時間領域リソースプールの設定情報を取得し、時間領域リソースプールの設定情報に基づいて通信フレームを確定する。Ｄ２Ｄ通信の時間領域リソースプールはあらかじめ定義されてもよく、擬似静的設定されてもよい。
【０１０２】
Ｔｘ ＵＥは、現在通信フレームのデータ領域におけるアイドルデータチャネル集合を検出し、検出されたアイドルデータチャネル集合から少なくとも１個のデータチャネルを選択し、ここで、アイドルデータチャネル集合には、少なくとも１個のデータチャネルが含まれる。
【０１０３】
Ｔｘ ＵＥは、自身の現在通信フレームの制御領域におけるサイレント期間を確定し、サイレント期間において制御メッセージをモニタリングし、非サイレント期間において制御メッセージを送信する。当該制御メッセージには少なくともリソース指示情報が含まれ、当該リソース指示情報は本Ｔｘ ＵＥにより選択して占有するデータチャネルを示す。
好ましくは、Ｔｘ ＵＥは、自身の優先レベルにより競争領域を確定し、非サイレント期間は競争領域に位置する。
【０１０４】
Ｔｘ ＵＥは、モニタリングした制御メッセージにおけるリソース指示情報に基づいて、自身が占有するデータチャネルにリソース衝突が存在するか否かを判断する。リソース衝突がなければ、Ｔｘ ＵＥは占有するデータチャネルにおいてＤ２Ｄデータを送信し、且つ、サービスの終了またはシグナリング解放を送信するまでに、当該データチャネルを引き続き占有する。衝突があれば、上述のいずれの実施例の手段により衝突を解決する。
Ｔｘ ＵＥがデータチャネルを引き続き占有する態様は以下のようである。
【０１０５】
ＶｏＩＰサービス的特有性を考慮すると、データ量が小さく、且つ遅延制限が厳しい。頻繁な競争を防ぐため、Ｔｘ ＵＥは、ＶｏＩＰサイレント期間において、データチャネルの確定時間領域リソースを介してプレースホルダ指示情報を送信する必要がある。現在データチャネルが忙しい状態となっており、他のＴｘ ＵＥが現在サービスサイレント期間となっているＴｘ ＵＥに占有されたデータチャネルリソースを競争することを防ぐ。
【０１０６】
Ｄ２Ｄサービスの終了またはチャネルクオリティの悪化の場合、Ｔｘ ＵＥが現在のデータチャネルを解放することが要求されるため、Ｔｘ ＵＥは、データチャネルの確定時間領域リソースにおいてリソース解放指示情報を送信し、他のＴｘ ＵＥが現在データチャネルのアイドル状態を早めに知らせる。
【０１０７】
好ましくは、図１３に示すように、プレースホルダ情報は同様な時間領域リソースを占有することができる。
【０１０８】
データチャネルの持続占有期間のいて、Ｔｘ ＵＥは各々通信フレームの制御領域の制御チャネルにおいて依然として制御メッセージを伝送することができる。こうして、突然アクセスされたＲｘ ＵＥが対応のデータチャネルにより搬送されるＤ２Ｄデータを即時に受信でき、特にＶｏＩＰ類のサービスに適用する。Ｔｘ ＵＥは制御領域において制御情報を伝送しなくてもよいため、制御領域の干渉を防ぐことができる。
【０１０９】
Ｒｘ ＵＥは制御領域中の全部制御チャネルをモニタリングし、モニタリングしたリソース指示情報によりデータ領域にＤ２Ｄデータ送信の有無を判断する。Ｄ２Ｄデータ送信があれば、モニタリングする制御チャネルにおけるリソース指示情報に基づいて、リソース指示情報により示されるデータ領域中の時間領域リソースにおいて、Ｄ２Ｄデータを検出する。Ｒｘ ＵＥは、データ領域において全部のデータチャネルを検出せず、受信した制御情報の示すにより対応のデータチャネルのみを検出すればよい。さらに、ブロードキャストのシーンを考慮すると、同時に複数のＴｘ ＵＥがブロードキャスト情報を送信すれば、Ｒｘ ＵＥは制御領域において複数のＴｘ ＵＥからの制御情報を受信する。こうなると、Ｒｘ ＵＥはデータ領域において複数のＴｘ ＵＥからのデータを検出する必要がある。
【０１１０】
方法と同様の発明思想をベースとし、図１４に示すように、本発明にかかる実施例により提供する送信端装置は、リソース競争モジュール１４００と、Ｄ２Ｄ通信モジュール１４０１とを備える。
【０１１１】
リソース競争モジュール１４００は、現在通信フレームの制御領域において制御メッセージを送信し、現在通信フレームの制御領域において他の送信端装置の少なくともリソース指示情報が含まれる制御メッセージをモニタリングする。前記制御メッセージには、少なくともリソース指示情報が含まれ、前記リソース指示情報は、送信端装置に占有される現在通信フレームのデータ領域におけるデータチャネルを示す。
【０１１２】
Ｄ２Ｄ通信モジュール１４０１は、モニタリングしたリソース指示情報に基づいて自身に占有された前記データチャネルにおいてＤ２Ｄデータを送信する。
【０１１３】
本発明にかかる実施例の技術手段によれば、Ｄ２Ｄ通信の通信フレームは、制御領域及びデータ領域を含み、ここで、データ領域は、複数のデータチャネルをさらに含む。異なる送信端装置が制御領域の制御メッセージを相互にモニタリングすることにより、競争によるリソース衝突を避けることができる。
【０１１４】
好ましくは、現在通信フレームの制御領域において制御メッセージを送信する前、前記リソース競争モジュール１４００は、現在通信フレームのデータ領域におけるアイドルデータチャネル集合を検出し、検出したアイドルデータチャネル集合からデータチャネルを選択する。前記リソース競争モジュールからの制御メッセージには、すくなくとも、選択したデータチャネルを占有するリソース指示情報が含まれる。
【０１１５】
好ましくは、現在通信フレームのデータ領域におけるアイドルデータチャネル集合を検出する場合、前記リソース競争モジュール１４００は、エネルギー検出方式により現在通信フレームのデータ領域におけるアイドルデータチャネル集合を確定し、及び/または、他の送信端装置からのリソース指示情報に基づいて現在通信フレームのデータ領域におけるアイドルデータチャネル集合を確定する。
【０１１６】
好ましくは、前記Ｄ２Ｄ通信モジュール１４０１は、モニタリングしたリソース指示情報に基づいて自身が占有するデータチャネルにリソース衝突が存在しないと確定し、前記データチャネルにおいてＤ２Ｄデータを送信する。
【０１１７】
好ましくは、モニタリングしたリソース指示情報に基づいて自身が占有するデータチャネルにリソース衝突が存在すると確定すれば、前記Ｄ２Ｄ通信モジュール１４０１は、検出されたアイドルデータチャネル集合からデータチャネルを選択し、次の通信フレームにおける制御領域において制御メッセージを送信し、前記制御情報に含まれるリソース指示情報は、今回選択したデータチャネルを占有することに用いられる。または、退却された通信フレーム数Ｎをランダムに確定し、現在通信フレーム後の第N+１個の通信フレームの制御領域において制御メッセージを送信する。
【０１１８】
上述のいずれの送信端装置の実施例をベースとし、好ましくは、現在通信フレームの制御領域において制御メッセージを送信する場合、前記リソース競争モジュール１４００は、現在通信フレームの制御領域において、自身が占有するデータチャネルと対応する制御チャネルにおいて前記制御メッセージを送信する。または、現在通信フレームの制御領域において、ランダムに選択した制御チャネルにおいて前記制御メッセージを送信する。
【０１１９】
上述のいずれの送信端装置の実施例をベースとし、好ましくは、前記リソース競争モジュールは、自身の現在通信フレームの制御領域におけるサイレント期間を確定し、現在通信フレームの制御領域における非サイレント期間で制御メッセージを送信し、現在通信フレームの制御領域におけるサイレント期間で他の送信端装置の制御情報をモニタリングする。
【０１２０】
上述のいずれの送信端装置の実施例をベースとし、好ましくは、現在通信フレームの制御領域において制御メッセージを送信する場合、前記リソース競争モジュール１４００は、自身の優先レベルに基づいて現在通信フレームの制御領域における競争領領域を確定し、前記競争領域において前記制御メッセージを送信し、送信端装置の優先レベルが高ければ高いほど、その競争領域が高い。
【０１２１】
上述のいずれの送信端装置の実施例をベースとし、好ましくは、前記制御メッセージには、送信端装置の優先権情報がさらに含まれ、前記Ｄ２Ｄ通信モジュール１４０１は、リングしたリソース指示情報に基づいて自身が占有するデータチャネルにリソース衝突が存在すると確定すれば、モニタリングした優先権情報と自身の優先権情報を比較し、自身の優先権情報の優先レベルがモニタリングした優先権情報より高い場合、前記データチャネルにおいてＤ２Ｄデータを送信する。
【０１２２】
上述のいずれの送信端装置の実施例をベースとし、好ましくは、Ｄ２Ｄサービスの終了または前記送信端装置がリソース解放指示情報を送信するまでに、前記Ｄ２Ｄ通信モジュール１４０１は、自身が占有するデータチャネルにおいてＤ２Ｄデータを送信する。
【０１２３】
好ましくは、Ｄ２Ｄサービスの終了前までに、前記Ｄ２Ｄ通信モジュール１４０１は、前記Ｄ２Ｄサービスサイレント期間において、送信端装置は、Ｄ２Ｄサービスのサイレント期間において、自身が占有するデータチャネルにおいてプレースホルダ指示情報を送信する。
【０１２４】
上述のいずれの送信端装置の実施例をベースとし、好ましくは、通信フレームは、前記送信端装置がスパーフレーム同期を取得した後、Ｄ２Ｄ通信の時間領域リソースプールから確定されたものである。
【０１２５】
好ましくは、通信フレームの確定は、あらかじめ定義された方式により、Ｄ２Ｄ通信の時間領域リソースプールから通信フレームを確定するか、または、検出された同期化情報から時間領域リソースプールの設定情報を取得し、前記時間領域リソースプールの設定情報に基づいて、通信フレームを確定する。
【０１２６】
方法と同様の発明思想をベースとし、本発明にかかる実施例により提供するＤ２Ｄ ＵＥは、プロセッサ及び無線周波数ユニットを備える。
【０１２７】
プロセッサは、無線周波数ユニットにより現在通信フレームの制御領域において制御メッセージを送信し、かつ、無線周波数ユニットにより現在通信フレームの制御領域において、他の送信端装置の少なくともリソース指示情報が含まれる制御メッセージをモニタリングし、モニタリングしたリソース指示情報に基づいて無線周波数ユニットにより自身に占有された前記データチャネルにおいてＤ２Ｄデータを送信する。前記制御メッセージには、少なくともリソース指示情報が含まれ、前記リソース指示情報は、送信端装置に占有される現在通信フレームのデータ領域におけるデータチャネルを示す。
【０１２８】
本発明にかかる実施例の技術手段によれば、Ｄ２Ｄ通信の通信フレームは、制御領域及びデータ領域を含み、ここで、データ領域は、複数のデータチャネルをさらに含む。異なるＤ２Ｄ ＵＥが制御領域の制御メッセージを相互にモニタリングすることにより、競争によるリソース衝突を防ぐことができる。
【０１２９】
方法と同様の発明思想をベースとし、図１５に示すように、本発明にかかる実施例により提供される受信端装置は、制御メッセージモニタリングモジュール１５００と、Ｄ２Ｄ通信モジュール１５０１とを備える。
【０１３０】
制御メッセージモニタリングモジュール１５００は、現在通信フレームの制御領域において送信端装置の制御メッセージをモニタリングする。前記制御メッセージには、少なくともリソース指示情報が含まれ、前記リソース指示情報は、送信端装置に占有される現在通信フレームのデータ領域におけるデータチャネルを示す。
【０１３１】
Ｄ２Ｄ通信モジュール１５０１は、モニタリングしたリソース指示情報に基づいて、現在通信フレームのデータ領域においてＤ２Ｄデータを受信する。
【０１３２】
本発明にかかる実施例の技術手段によれば、Ｄ２Ｄ通信の通信フレームは、制御領域及びデータ領域を含み、ここで、データ領域は、複数のデータチャネルをさらに含む。異なる送信端装置が制御領域の制御メッセージを相互にモニタリングすることにより、競争によるリソース衝突を避けることができる。
【０１３３】
好ましくは、通信フレームは、受信端装置がスパーフレーム同期を取得した後、Ｄ２Ｄ通信の時間領域リソースプールから確定されたものである。
【０１３４】
好ましくは、通信フレームの確定は、あらかじめ定義された方式により、Ｄ２Ｄ通信の時間領域リソースプールから通信フレームを確定するか、または、検出された同期化情報から時間領域リソースプールの設定情報を取得し、前記時間領域リソースプールの設定情報に基づいて、通信フレームを確定する。
【０１３５】
方法と同様の発明思想をベースとし、本発明にかかる実施例により提供する受信端装置は、プロセッサ及び無線周波数ユニットを備える。
【０１３６】
プロセッサは、無線周波数ユニットにより現在通信フレームの制御領域において送信端装置の制御メッセージをモニタリングし、モニタリングしたリソース指示情報に基づいて、無線周波数ユニットにより現在通信フレームのデータ領域においてＤ２Ｄデータを受信する。前記制御メッセージには、少なくともリソース指示情報が含まれ、前記リソース指示情報は、送信端装置に占有される現在通信フレームのデータ領域におけるデータチャネルを示す。
【０１３７】
本発明にかかる実施例の技術手段によれば、Ｄ２Ｄ通信の通信フレームは、制御領域及びデータ領域を含み、ここで、データ領域は、複数のデータチャネルをさらに含む。異なる送信端装置が制御領域の制御メッセージを相互にモニタリングすることにより、競争によるリソース衝突を避けることができる。
【０１３８】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１３９】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１４０】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１４１】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１４２】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１４３】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１４４】
本出願は、２０１４年１月１６日に中国特許局に提出し、出願番号が２０１４１００２００４６.Ｘであり、発明名称が「Ｄ２Ｄ通信方法及び装置」との中国特許出願を基礎とする優先権を主張し、その開示の総てをここに取り込む。
【符号の説明】
【０１４５】
１４００  リソース競争モジュール
１４０１  通信モジュール
１５００  制御メッセージモニタリングモジュール
１５０１  通信モジュール
【図１Ａ】
0006440720.tif 000002
【図１Ｂ】
0006440720.tif 000003
【図１Ｃ】
0006440720.tif 000004
【図１Ｄ】
0006440720.tif 000005
【図２】
0006440720.tif 000006
【図３】
0006440720.tif 000007
【図４】
0006440720.tif 000008
【図５】
0006440720.tif 000009
【図６】
0006440720.tif 000010
【図７】
0006440720.tif 000011
【図８】
0006440720.tif 000012
【図９】
0006440720.tif 000013
【図１０】
0006440720.tif 000014
【図１１】
0006440720.tif 000015
【図１２】
0006440720.tif 000016
【図１３】
0006440720.tif 000017
【図１４】
0006440720.tif 000018
【図１５】
0006440720.tif 000019